(57)【要約】      （修正有）【課題】１つの接続部材で同軸ケーブル同士の接続を可能とした。【解決手段】同軸ケーブル同士を直線的に接続する部材および、方法として、同軸ケーブル芯線３同士を接続する部材を、同軸ケーブルシールド線５同士を接続する円筒状の部材の中心部に同軸ケーブル内部絶縁材４と同等または、同等以上の機能を有する絶縁材を介して固定したストレートコネクタ８を使用する。【選択図】図２
2012234751.tif 000002
【特許請求の範囲】
【請求項１】
同軸ケーブル同士を直線的に接続する部材として、同軸ケーブル芯線同士を接続する部材を、同軸ケーブルシールド線同士を接続する円筒状の部材の中心部に、同軸ケーブル内部絶縁材と同等または、同等以上の機能を有した絶縁材を介して固定したことを特徴とする同軸ケーブル同士を直接接続する接続部材および、同接続部材を使用した接続方法。
【請求項２】
同軸ケーブル同士を直線的に接続する部材として、同軸ケーブルシールド線同士を接続する円筒状の部材に、接続する同軸ケーブルを固定するための部材を接続することを特徴とする請求項１の接続部材および、同接続部材を使用した接続方法。
【請求項３】
同軸ケーブル同士をＴ型または、Ｌ型等に接続する部材および、接続方法として請求項１または、請求項２の特徴を有するＴ型または、Ｌ型の接続部材および、接続方法。
【発明の詳細な説明】
【技術分野】
【０００１】
本発明は、同軸ケーブルと同軸ケーブルを接続する部材および、接続方法に関する。
【背景技術】
【０００２】
従来は、同軸ケーブルと同軸ケーブルを接続する部材および、方法としては、接続しようとする両者の先端部分に、それぞれストレートプラグコネクタが取付けられ、そのコネクタ同士を接続するための部材ストレートアダプタを介して両者を接続するか、コネクタ同士を直接接続する構造の部材を使用することで目的を達せられていた。図１に通常の組み合わせによる使用形態を示す。
【先行技術文献】
【特許文献】
【０００３】
【特許文献１】特許公開  Ｈ７−２４０２４５
【非特許文献】
【０００４】
【非特許文献１】ヒロセ電機株式会社  同軸コネクタカタログ
【発明の概要】
【発明が解決しようとする課題】
【０００５】
従来は、同軸ケーブルと同軸ケーブルを接続する部材および、方法としては、接続しようとする両者の先端部分に、それぞれ非特許文献１に記載のストレートプラグが取付けられ、そのストレートプラグ同士を接続するための部材ストレートアダプタを介して両者を接続するか、接続しようとする一方の同軸ケーブル先端部にストレートプラグを取り付け、他方の同軸ケーブル先端部にストレートジャックを取り付け、両者を直接接続する方法が一般的であった。しかし、このような方法では接続する同軸ケーブルに対して、それぞれ端末におけるコネクタ処理を実施しなければならず、接続するための部材が少なくとも２個以上必要となり、施工に時間を要するという欠点があった。
【０００６】
また、同軸ケーブルと同軸ケーブルを接続する接続部材の数が増加すると、増加した接続数に比例して、接続部における伝達ロスが多くなるという欠点があった。
【０００７】
さらに、従来の方法で同軸ケーブルを接続するには、使用する部材が２個以上必要となり、コストも高額になるという欠点があった。
【課題を解決するための手段】
【０００８】
本発明は、１つの同軸ケーブルと他の同軸ケーブルを直接的に接続・延長する部材として、相互の３同軸ケーブル芯線および、相互の５同軸ケーブルシールド線をハンダ付けおよび、圧着等をすること無く容易に接続することを可能としたことを特徴とする１つの部材を使用することで課題を解決する。
【０００９】
同軸ケーブル同士を直線的に接続する部材の一例として、３同軸ケーブル芯線同士を接続する部材を、５同軸ケーブルシールド線同士を接続する円筒状の部材の中心部に４同軸ケーブル内部絶縁材と同等または、同等以上の機能を有した絶縁材を介して固定した８ストレートコネクタを使用することで従来の課題を解決する。
【発明の効果】
【００１０】
代表的な構成として、図２により説明する。同軸ケーブル同士を直線的に接続する部材の一例として、３同軸ケーブル芯線同士を接続する部材を、５同軸ケーブルシールド線同士を接続する円筒状の部材の中心部に４同軸ケーブル内部絶縁材と同等または、同等以上の機能を有した絶縁材を介して固定した８ストレートコネクタを使用することにより、図１で示した従来の構成と同等な機能を、１ストレートアダプタおよび、２ストレートプラグ無しで構築することを可能とした。
【図面の簡単な説明】
【００１１】
【図１】図１は従来の１ストレートアダプタおよび、２ストレートプラグを使用した接続方法である。
【図２】図２は今回発明した８ストレートコネクタの構造図および、８ストレートコネクタを使用した同軸ケーブルの接続状態図である。
【図３】図３は今回発明した８ストレートコネクタと７同軸ケーブル外被押さえプラグの構造図および、８ストレートコネクタと７同軸ケーブル外被押さえプラグ使用した同軸ケーブルの接続状態図である。
【発明を実施するための形態】
【００１２】
同軸ケーブル同士を直線的に接続する部材の一例は、３同軸ケーブル芯線同士を接続する部材を、５同軸ケーブルシールド線同士を接続する円筒状の部材の中心部に４同軸ケーブル内部絶縁材と同等または、同等以上の機能を有した絶縁材を介して固定したことを特徴とする８ストレートコネクタである。こと８ストレートコネクタを使用した２本の同軸ケーブルの接続方法により、図１で示した従来の構成と同等な接続機能を、１ストレートアダプタおよび、２ストレートプラグ無しで構築することを可能とした。
【実施例】
【００１３】
図１は従来の部材を使用した一般的な接続の構成であり、接続しようとする一つの同軸ケーブルの端部に２ストレートプラグを半田付けまたは、圧着にて取り付け、接続しようとする他方の同軸ケーブルの端部にも同様にして２ストレートプラグを取り付ける。２ストレートプラグを取り付けた同軸ケーブル同士を１ストレートアダプタに接続することにより両者の接続機能を発揮する。
【００１４】
図２は本発明の接続部材８ストレートアダプタの一例である。３同軸ケーブル芯線同士を接続する部材を、５同軸ケーブルシールド線同士を接続する円筒状の部材の中心部に４同軸ケーブル内部絶縁材と同等または、同等以上の機能を有した絶縁材を介して固定した同軸ケーブルの接続部材である。８ストレートコネクタを使用することにより、図１で示した従来の構成と同等な機能を、１ストレートアダプタおよび、２ストレートプラグ無しで構築することを可能とする。
【００１５】
図２で示した８ストレートコネクタ内部における３同軸ケーブル芯線同士の接続部材は、接続しようとする同軸ケーブルの芯線導体の外径と同じ寸法の内径を有する中空導体である。その両端は接続しようとする同軸ケーブルの芯線が容易に挿入可能なように先端部を内径方向にテーパ状に加工している。テーパ加工部は本実施例に限ったものではなく、バネ状等の構造で同軸ケーブル芯線を容易に中空接続部に導入する形状および、確実な接触を得られる構造とすれば良い。
【００１６】
図２で示した８ストレートコネクタにおける５同軸ケーブルシールド線同士の接続部材は、接続しようとする同軸ケーブルの芯線導体とシールド線導体の間の絶縁材外径と同じ寸法の内径を有する中空導体である。その両端は接続しようとする同軸ケーブルの絶縁材とシールド線の間に容易に挿入可能なように先端部を外径方向にテーパ加工している。本接続部材と同軸ケーブルを強固に固定するためは、本接続部材８ストレートコネクタを同軸ケーブルに挿入後に６同軸ケーブル外被を５同軸ケーブルシールド線と同時に６同軸ケーブル外被から結束バンド等により固縛または、金属冠等により圧着すればよい。
【００１７】
また、同軸ケーブルシールド線接続部材の両端のテーパ加工は小範囲でよく、当該接続部材の中心側は直径方向に垂直加工（断面が直角三角形状のテーパ）または鋭角加工（断面が鋭角三角形状のテーパ）を施し、当該接続部材外周に挿入された同軸ケーブルシールド線の網状部分を引っ掛けることにより接続後の抜け防止の機能を有している。
【００１８】
さらに、３同軸ケーブル芯線同士を接続する部材を５同軸ケーブルシールド線同士を接続する円筒状の同軸ケーブルシールド線接続部材の中心部に固定する４同軸ケーブル内部絶縁材と同等または、同等以上の機能を有した絶縁材は、３同軸ケーブル芯線同士を接続する部材の長さと同等とし、長さ方向中心部から対称に配置している。当該絶縁材の固定および、インピーダンスの整合は、同軸ケーブルシールド線接続部材内部に、（４同軸ケーブル内部絶縁材の外径寸法）／（３同軸ケーブル芯線の外径寸法）の比を、３同軸ケーブル芯線同士を接続する部材の外径寸法に乗じた直径を有する絶縁材が配置可能なくり抜きを有しておりズレ止効果も発揮する構造としている。
【００１９】
図３も、本発明の接続部材８ストレートアダプタの一例である。３同軸ケーブル芯線同士を接続する部材を、５同軸ケーブルシールド線同士を接続する円筒状の部材の中心部に４同軸ケーブル内部絶縁材と同等または、同等以上の機能を有した絶縁材を介して固定した同軸ケーブルの接続部材に、接続する６同軸ケーブル外被をテーパー状の７同軸ケーブル外被押さえプラグで８ストレートアダプタに固定する機能を有した接続部材である。８ストレートコネクタを使用することにより、図１で示した従来の構成と同等な機能を、１ストレートアダプタおよび、２ストレートプラグ無しで構築することを可能とする。
【００２０】
図３で示した８ストレートコネクタ内部における３同軸ケーブル芯線同士の接続部材は、接続しようとする同軸ケーブルの芯線導体の外径と同じ寸法の内径を有する中空導体である。その両端は接続しようとする同軸ケーブルの芯線が容易に挿入可能なように先端部を内径方向にテーパ状に加工している。テーパ加工部は本実施例に限ったものではなく、バネ状等の構造で同軸ケーブル芯線を容易に中空接続部に導入する形状および、確実な接触を得られる構造とすれば良い。
【００２１】
図３で示した８ストレートコネクタにおける５同軸ケーブルシールド線同士の接続部材は、接続しようとする同軸ケーブルの芯線導体とシールド線導体の間の絶縁材外径と同じ寸法の内径を有する中空導体である。その両端は接続しようとする同軸ケーブルの絶縁材とシールド線の間に容易に挿入可能なように先端部を外形方向にテーパ加工している。
【００２２】
また、同軸ケーブルシールド線接続部材の両端のテーパ加工は小範囲でよく、当該接続部材の中心側は直径方向に垂直加工（断面が直角三角形状のテーパ）または鋭角加工（断面が鋭角三角形状のテーパ）を施し、当該接続部材外周に挿入された同軸ケーブルシールド線の網状部分を引っ掛けることにより接続後の抜け防止の機能を有している。
【００２３】
加えて、同軸ケーブルシールド線接続部材の中心部は対象のそれぞれの位置まで７同軸ケーブル外被押さえプラグ止めのためのネジ部を有している。７同軸ケーブル外被押さえプラグは、同軸ケーブルシールド線接続部材の両端のテーパ加工に合わせ、接続する同軸ケーブルのシールド線と外被を当該テーパ部で押え付けることにより接続後の抜け防止の機能を強化している。
【００２４】
さらに、３同軸ケーブル芯線同士を接続する部材を５同軸ケーブルシールド線同士を接続する円筒状の同軸ケーブルシールド線接続部材の中心部に固定する４同軸ケーブル内部絶縁材と同様の機能を有した絶縁材は、３同軸ケーブル芯線同士を接続する部材の長さと同等とし、中心部から対称に配置している。当該絶縁材の固定および、インピーダンスの整合は、同軸ケーブルシールド線接続部材内部に、（４同軸ケーブル内部絶縁材の外径寸法）／（３同軸ケーブル芯線の外径寸法）の比を、３同軸ケーブル芯線同士を接続する部材の外径寸法に乗じた直径を有する絶縁材が配置可能なくり抜きを有しておりズレ止効果も発揮する構造としている。
【産業上の利用可能性】
【００２５】
同軸ケーブル同士を直線的に接続する部材の一例として、３同軸ケーブル芯線同士を接続する部材を、５同軸ケーブルシールド線同士を接続する円筒状の部材の中心部に４同軸ケーブル内部絶縁材と同等または、同等以上の機能を有した絶縁材を介して固定した８ストレートコネクタを使用することにより、図１で示した従来の構成と同等な機能を、１ストレートアダプタおよび、２ストレートプラグ無しで構築することを可能とし、複数の接続部材を使用することを必要としないため接続に要する時間を短縮し、伝達ロスを低減するとともに接続コストも低減することが可能となった。
【符号の説明】
【００２６】
１  ストレートアダプタ
２  ストレートプラグ
３  同軸ケーブル芯線
４  同軸ケーブル内部絶縁材
５  同軸ケーブルシールド線
６  同軸ケーブル外被
７  同軸ケーブル外被押さえプラグ
８  ストレートコネクタ
【図１】
2012234751.tif 000003
【図２】
2012234751.tif 000004
【図３】
2012234751.tif 000005